(57)【要約】【課題】停電等の原因によって遮断された外部からの給電が再開された場合、給電遮断前の電力供給オン又はオフ状態に応じて、各部への電力供給が制御されるので、ユーザが電源スイッチを操作する手間を省くことができ、操作が容易になるようにする。【解決手段】外部からの給電を受け、各部に電力供給を行う電力供給部と、電力供給オン状態又は電力供給オフ状態を記憶する電力供給状態記憶部を含む電力制御部とを備え、電力供給部は、各部のすべてに電力供給を行う第１の電力供給モードと、電力制御部を除く各部への電力供給を遮断する第２の電力供給モードとに切替可能であり、外部からの給電が遮断された後に再開された場合、電力供給状態記憶部が電力供給オン状態を記憶しているとき、第１の電力供給モードとし、電力供給状態記憶部が電力供給オフ状態を記憶しているとき、第２の電力供給モードとする。【選択図】図１
2015112822.tif 000002
【特許請求の範囲】
【請求項１】
通信回線網に接続された画像形成装置において、
外部からの給電を受け、前記画像形成装置の各部に電力供給を行う電力供給部と、
該電力供給部を制御する電力制御部であって、電力供給オン状態又は電力供給オフ状態を記憶する電力供給状態記憶部を含む電力制御部とを備え、
前記電力供給部は、前記画像形成装置の各部のすべてに電力供給を行う第１の電力供給モードと、前記電力制御部を除く前記画像形成装置の各部への電力供給を遮断する第２の電力供給モードとに切替可能であり、
前記外部からの給電が遮断された後に再開された場合、前記電力制御部は、前記電力供給状態記憶部が電力供給オン状態を記憶しているとき、前記電力供給部の電力供給モードを第１の電力供給モードとし、前記電力供給状態記憶部が電力供給オフ状態を記憶しているとき、前記電力供給部の電力供給モードを第２の電力供給モードとすることを特徴とする画像形成装置。
【請求項２】
オペレータが操作する電源スイッチと、所定時間を計時するタイマを含む制御部とを更に備え、
前記電力供給状態記憶部は、前記電源スイッチがオンのときは電力供給オン状態を記憶し、前記電源スイッチがオフのときは電力供給オフ状態を記憶し、
前記制御部は、前記電力供給状態記憶部が電力供給オン状態を記憶しているときに前記所定時間が経過すると、前記電力供給状態記憶部に前記電力供給部の電力供給モードを第１の電力供給モードから第２の電力供給モードに切り替えさせる請求項１に記載の画像形成装置。
【請求項３】
前記電力供給状態記憶部が電力供給オン状態を記憶しているとき、前記電力供給部の電力供給モードは第１の電力供給モードであり、前記電力供給状態記憶部が電力供給オフ状態を記憶しているとき、前記電力供給部の電力供給モードは第２の電力供給モードである請求項２に記載の画像形成装置。
【請求項４】
前記制御部は、前記通信回線網が接続状態であると判断すると、前記電力供給状態記憶部に電力供給オン状態を記憶させ、前記通信回線網が接続状態でないと判断すると、前記電力供給状態記憶部に電力供給オフ状態を記憶させる請求項２又は３に記載の画像形成装置。
【請求項５】
前記通信回線網は電話回線を含み、
前記制御部は、前記電話回線が接続状態であると判断すると、前記電力供給状態記憶部に電力供給オン状態を記憶させ、前記電話回線が接続状態でないと判断すると、前記電力供給状態記憶部に電力供給オフ状態を記憶させる請求項４に記載の画像形成装置。
【請求項６】
オペレータが操作する自動オンモードの設定スイッチを更に備え、
前記制御部は、前記自動オンモードが設定されていると判断すると、前記電力供給状態記憶部に電力供給オン状態を記憶させ、前記自動オンモードが設定されていないと判断すると、前記電力供給状態記憶部に電力供給オフ状態を記憶させる請求項２又は３に記載の画像形成装置。
【発明の詳細な説明】
【技術分野】
【０００１】
本発明は、画像形成装置に関するものである。
【背景技術】
【０００２】
従来、プリンタ等の画像形成装置においては、オートパワーオフ機能を備え、あらかじめ設定された待機時間が経過しても、画像形成装置が使用されない状態が継続した場合には、自動的に画像形成装置内の各部への電力供給を遮断して電源オフにするようになっている（例えば、特許文献１参照。）。
【先行技術文献】
【特許文献】
【０００３】
【特許文献１】特開２０１２−２０６４２８号公報
【発明の概要】
【発明が解決しようとする課題】
【０００４】
しかしながら、前記従来の画像形成装置において、オートパワーオフ機能は、電源制御部が各部への電力供給を遮断することによって実現されるので、停電等の原因によって、電源制御部を含む画像形成装置全体への外部からの給電が遮断された場合には、前記原因が取り除かれて外部からの給電が再開されても、画像形成装置内の各部への電力供給が遮断された電源オフの状態が継続してしまう、という課題があった。
【０００５】
本発明は、前記従来の画像形成装置における問題点を解決して、電力供給オン又はオフ状態を記憶し、外部からの給電が遮断された後に再開された場合、記憶された電力供給オン又はオフ状態に基づいて電力供給モードを制御することによって、停電等の原因により遮断された外部からの給電が、原因の除去により再開された場合、給電遮断前の電力供給オン又はオフ状態に応じて、自動的に各部への電力供給が制御されるので、ユーザが電源スイッチを操作する手間を省くことができ、操作が容易な画像形成装置を提供することを目的とする。
【課題を解決するための手段】
【０００６】
そのために、本発明の画像形成装置においては、通信回線網に接続された画像形成装置において、外部からの給電を受け、前記画像形成装置の各部に電力供給を行う電力供給部と、該電力供給部を制御する電力制御部であって、電力供給オン状態又は電力供給オフ状態を記憶する電力供給状態記憶部を含む電力制御部とを備え、前記電力供給部は、前記画像形成装置の各部のすべてに電力供給を行う第１の電力供給モードと、前記電力制御部を除く前記画像形成装置の各部への電力供給を遮断する第２の電力供給モードとに切替可能であり、前記外部からの給電が遮断された後に再開された場合、前記電力制御部は、前記電力供給状態記憶部が電力供給オン状態を記憶しているとき、前記電力供給部の電力供給モードを第１の電力供給モードとし、前記電力供給状態記憶部が電力供給オフ状態を記憶しているとき、前記電力供給部の電力供給モードを第２の電力供給モードとする。
【発明の効果】
【０００７】
本発明によれば、画像形成装置は、電力供給オン又はオフ状態を記憶し、外部からの給電が遮断された後に再開された場合、記憶された電力供給オン又はオフ状態に基づいて電力供給モードを制御する。これにより、停電等の原因によって遮断された外部からの給電が、原因の除去により再開された場合に、給電遮断前の電力供給オン又はオフ状態に応じて、自動的に各部への電力供給が制御されるので、ユーザが電源スイッチを操作する手間を省くことができ、操作が容易な画像形成装置を提供することができる。
【図面の簡単な説明】
【０００８】
【図１】本発明の第１の実施の形態における画像形成装置の構成を示すブロック図である。
【図２】本発明の第１の実施の形態における画像形成装置のオートパワーオフモードに移行する動作を示すフローチャートである。
【図３】本発明の第１の実施の形態における画像形成装置の遮断された外部からの給電が再開された場合の動作を示すフローチャートである。
【図４】本発明の第２の実施の形態における画像形成装置の構成を示すブロック図である。
【図５】本発明の第２の実施の形態における画像形成装置のオートパワーオフモードに移行する動作を示すフローチャートである。
【図６】本発明の第３の実施の形態における画像形成装置のオートパワーオフモードに移行する動作を示すフローチャートである。
【図７】本発明の第４の実施の形態における画像形成装置の自動電源ＯＮモードを設定する動作を示すフローチャートである。
【図８】本発明の第４の実施の形態における画像形成装置のオートパワーオフモードに移行する動作を示すフローチャートである。
【発明を実施するための形態】
【０００９】
以下、本発明の実施の形態について図面を参照しながら詳細に説明する。
【００１０】
図１は本発明の第１の実施の形態における画像形成装置の構成を示すブロック図である。
【００１１】
図において、１０は、本実施の形態における画像形成装置であり、例えば、プリンタ、ファクシミリ機、複写機等のような単機能機であってもよいし、プリンタ、ファクシミリ機、複写機等の各種の機能を併せ持つ複合機、すなわち、ＭＦＰ（Ｍｕｌｔｉ  Ｆｕｎｃｔｉｏｎ  Ｐｒｉｎｔｅｒ）であってもよいし、インクジェット方式、電子写真方式、熱転写方式等の各種の画像形成方式を利用して、印刷用紙等の記録媒体に画像を形成することができるものであれば、いかなる種類のものであってもよい。ここでは、前記画像形成装置１０が、ＭＦＰであるものとして説明する。
【００１２】
前記画像形成装置１０は、ＬＡＮ（Ｌｏｃａｌ  Ａｒｅａ  Ｎｅｔｗｏｒｋ）、イントラネット、インターネット等の通信回線網であるネットワーク１５を介して、外部装置である上位装置としてのホストコンピュータ１１、１２に接続され、該ホストコンピュータ１１、１２から画像情報としての印刷データを受信し、該印刷データを用紙等の記録媒体に印刷する。なお、前記ホストコンピュータ１１、１２は、例えば、ＣＰＵ、ＭＰＵ等の演算手段、磁気ディスク、半導体メモリ等の記憶手段、通信インターフェイス等を備える一般的なパーソナルコンピュータであるが、画像形成装置１０で記録媒体に印刷するための印刷データを作成する機能、及び、前記印刷データを画像形成装置１０に送信する機能を有する装置であれば、いかなる種類のものであってもよい。
【００１３】
ここで、前記画像形成装置１０は、制御部２０、記憶部３０、通信部４０、画像読取部５０、画像形成部６０、入力部７０及び電源供給部８０を有する。そして、前記制御部２０、記憶部３０、通信部４０、画像読取部５０、画像形成部６０、入力部７０及び電源供給部８０は、内部通信回線としてのアドレス／データバス１３を介して、相互に通信可能に接続されている。
【００１４】
前記制御部２０は、制御処理ユニットとしてのＣＰＵ２１、及び、制御処理メモリとしてのプログラム用ＲＯＭ２３を備える。なお、前記ＣＰＵ２１は、計時手段としてのタイマ２２を内蔵する。そして、ＣＰＵ２１は、画像形成装置１０全体のシステム制御、画像情報の流れの管理等の総括的コントロールを行う。なお、前記タイマ２２によって、前記ＣＰＵ２１は、所定時間を計測することができる。前記ＣＰＵ２１の制御プログラムデータは、プログラム用ＲＯＭ２３内に格納されている。
【００１５】
また、前記記憶部３０は、データ蓄積用メモリ３１及び装置設定情報格納用メモリ３２を備える。前記データ蓄積用メモリ３１は、ホストコンピュータ１１、１２から受信した画像情報等の印刷データを格納する。また、前記装置設定情報格納用メモリ３２は画像形成装置１０の各部の動作に関する情報を格納する。そして、前記ＣＰＵ２１は、アドレス／データバス１３を介して記憶部３０にアクセスし、必要な情報の読み出し及び格納を行う。前記装置設定情報格納用メモリ３２には、各電力供給モードヘ切り替えるための省電力モード移行の設定等、画像形成装置１０の各種設定が格納される。なお、前記ＣＰＵ２１は、前記各電力供給モードへの切替の指示を電源制御部８２に対して行う。
【００１６】
さらに、前記通信部４０は、ホストインターフェイス部４１を備える。前記ＣＰＵ２１は、ホストインターフェイス部４１を介して、ホストコンピュータ１１、１２と接続され、通信処理が可能となっている。なお、前記ホストインターフェイス部４１は、イーサネット（Ｒ）、ＵＳＢ（Ｕｎｉｖｅｒｓａｌ  Ｓｅｒｉａｌ  Ｂｕｓ）２．０等の規格に適合したインターフェイスであり、前記規格に則って、ホストコンピュータ１１、１２から印刷データ等の情報を受信する。
【００１７】
さらに、前記画像読取部５０は、スキャナインターフェイス部５１及びスキャナユニット５２を備える。前記スキャナインターフェイス部５１は、ＣＰＵ２１の指示に従って、スキャナユニット５２から印刷データを転送したり、制御信号の送受信を行ったりするインターフェイス回路である。また、前記スキャナユニット５２は、原稿を読み取り、印刷データに変換する。
【００１８】
さらに、前記画像形成部６０は、プリンタエンジンインターフェイス部６１及びプリンタエンジン６２を備える。前記プリンタエンジンインターフェイス部６１は、ＣＰＵ２１の指示に従って、印刷データをプリンタエンジン６２に転送したり、制御信号の送受信を行ったりするインターフェイス回路である。そして、前記プリンタエンジン６２は、受信した印刷データに基づいて、印刷用紙等の記録媒体に印刷を行う。
【００１９】
さらに、前記入力部７０は、操作・表示部７１を備え、該操作・表示部７１は電源スイッチ７２を内蔵する。前記操作・表示部７１は、マンマシンインターフェイスであり、画像形成装置１０がプリンタ、ファクシミリ機、複写機等として機能する際に、前記プリンタ、ファクシミリ機、複写機等の操作内容（動作指示）をＣＰＵ２１に伝え、また、プリンタ、ファクシミリ機、複写機等としての状態をＣＰＵ２１から伝えられ、表示する。前記電源スイッチ７２の状態は、電源制御部８２に伝えられる。
【００２０】
さらに、前記電源供給部８０は、電力供給部としての電源部８１及び電力制御部としての電源制御部８２を備える。前記電源部８１は、電源ケーブルとしてのＡＣケーブル１４を介して、図示されない外部電源からＡＣ電流が給電される。例えば、家庭、事務所等に配設されたレセプタクル（コンセント）にＡＣケーブル１４の先端のプラグを嵌（かん）合することによって、外部電源に接続され、外部からの給電が行われる。そして、前記電源部８１は、給電されたＡＣ電流をＤＣ電流に変換し、画像形成装置１０内の各部に対して電力供給を行う。なお、前記電源部８１は、画像形成装置１０内の各部に対して電力供給を行う第１の電力供給モードと、電源制御部８２のみに対して電力供給を行う第２の電力供給モードとを備える。前記第１の電力供給モードと第２の電力供給モードとの切替は、電源制御部８２によって制御される。
【００２１】
該電源制御部８２は、電源制御ユニットとしての電源制御用ＣＰＵ８３を備え、該電源制御用ＣＰＵ８３は電力供給状態記憶部としての電源設定格納用メモリ８４を内蔵する。前記電源制御用ＣＰＵ８３は、消費電力低減のために電力供給モードの切替を行う。また、前記電源設定格納用メモリ８４は電源制御情報（電源ＯＮフラグが１であるか０であるかの情報）を格納し、該電源制御情報に応じて電源部８１が制御される。
【００２２】
次に、前記構成の画像形成装置１０の動作について説明する。まず、外部からの給電が行われている場合にオートパワーオフモードに移行する動作について説明する。
【００２３】
図２は本発明の第１の実施の形態における画像形成装置のオートパワーオフモードに移行する動作を示すフローチャートである。
【００２４】
まず、電源部８１に外部からの給電が行われ、電源制御部８２のみに対して電力供給が行われている状態（第２の電力供給モード）では、電源制御用ＣＰＵ８３は、電源スイッチ７２の状態を監視し、電源スイッチＯＮ制御を検出したか否かを判断する。
【００２５】
そして、オペレータが電源スイッチ７２を操作してＯＮ（オン）にすると、電源制御用ＣＰＵ８３は、電源スイッチＯＮ制御を検出し、電源設定格納用メモリ８４内に格納されている電源ＯＮフラグを１にセットする。該電源ＯＮフラグは、画像形成装置１０の電力供給オン状態又はオフ状態を示すフラグであって、１の場合には電力供給オン状態、すなわち、電源オンの状態であることを示し、０の場合には電力供給オフ状態、すなわち、電源オフの状態であることを示す。また、電源スイッチＯＮ制御を検出しない場合、電源制御用ＣＰＵ８３は、電源スイッチＯＮ制御を検出したか否かの判断を繰り返す。
【００２６】
続いて、電源制御用ＣＰＵ８３は、装置内各部に電源供給制御を行う。具体的には、電源部８１を制御し、画像形成装置１０内の各部に対して電力供給を行わせる。
【００２７】
続いて、ＣＰＵ２１は、装置初期設定を行う。具体的には、画像形成装置１０内の周辺ＬＳＩ（Ｌａｒｇｅ  Ｓｃａｌｅ  Ｉｎｔｅｇｒａｔｅｄ  Ｃｉｒｃｕｉｔ）の初期設定及び各メモリの初期化を行う。また、ＣＰＵ２１は、プリンタエンジンインターフェイス部６１を介して印刷準備制御を行い、その後、ＣＰＵ２１は、ホストインターフェイス部４１を介してホストコンピュータ１１、１２との通信を可能とし、これにより画像形成装置１０は待機状態となる。この状態が第１の電力供給モードである。
【００２８】
続いて、ＣＰＵ２１は、オートパワーオフ移行時間計測タイマ起動を行う。具体的には、タイマ２２にオートパワーオフ移行時間計測タイマをセットして起動する。なお、オートパワーオフ移行時間は、電源スイッチ７２がＯＮにされてからの所定時間であって、例えば、該所定時間の間にオペレータが操作・表示部７１を操作しなかったり、画像形成装置１０の動作が行われなかったりした場合に、オートパワーオフモードに移行する時間であり、装置設定情報格納用メモリ３２に格納されている。
【００２９】
その後、電源制御用ＣＰＵ８３は、電源スイッチ７２の状態を監視し、電源スイッチＯＦＦ制御を検出したか否かを判断する。
【００３０】
そして、オペレータが電源スイッチ７２をＯＦＦ（オフ）にする操作をしない場合、電源制御用ＣＰＵ８３が電源スイッチＯＦＦ制御を検出しないと判断し、ＣＰＵ２１は、オートパワーオフ移行時間計測タイマを監視し、オートパワーオフ移行時間計測タイマがタイムアウトになったか否かを判断する。
【００３１】
ここで、オートパワーオフ移行時間計測タイマがタイムアウトになっていない場合、オートパワーオフ移行のための所定時間経過待ちとなり、電源制御用ＣＰＵ８３は、再び電源スイッチＯＦＦ制御を検出したか否かを判断して、以降の動作を繰り返す。
【００３２】
また、オートパワーオフ移行時間計測タイマがタイムアウトになった場合、ＣＰＵ２１は、電源オフにするために画像形成装置１０の各部に対して電源オフ準備制御を行い、その後、電源制御用ＣＰＵ８３に対して、電源オフ制御指示を行う。
【００３３】
なお、オペレータが電源スイッチ７２を操作した場合、電源制御用ＣＰＵ８３は、電源スイッチＯＦＦ制御を検出したと判断し、その旨をＣＰＵ２１に通知する。すると、該ＣＰＵ２１は、電源オフにするために画像形成装置１０の各部に対して電源オフ準備制御を行い、その後、電源制御用ＣＰＵ８３に対して、電源オフ制御指示を行う。
【００３４】
続いて、電源制御用ＣＰＵ８３は、電源設定格納用メモリ８４内に格納されている電源ＯＮフラグを０にセットする。
【００３５】
続いて、電源制御用ＣＰＵ８３は、オートパワーオフモードに移行するよう制御する。具体的には、画像形成装置１０内の各部に対して電力供給を遮断するように電源部８１を制御する。すると、該電源部８１は、電源制御部８２以外の画像形成装置１０内の各部に対して電力供給を遮断する。これにより、第１の電力供給モードから、第２の電力供給モードに切り替えられる。
【００３６】
次に、フローチャートについて説明する。
ステップＳ１  電源制御用ＣＰＵ８３は、電源スイッチＯＮ制御を検出したか否かを判断する。電源スイッチＯＮ制御を検出した場合はステップＳ２に進み、電源スイッチＯＮ制御を検出しない場合は判断を繰り返し行う。
ステップＳ２  電源制御用ＣＰＵ８３は、電源ＯＮフラグを１にセットする。
ステップＳ３  電源制御用ＣＰＵ８３は、装置内各部に電源供給制御を行う。
ステップＳ４  ＣＰＵ２１は、装置初期設定を行う。
ステップＳ５  ＣＰＵ２１は、オートパワーオフ移行時間計測タイマ起動を行う。
ステップＳ６  電源制御用ＣＰＵ８３は、電源スイッチＯＦＦ制御を検出したか否かを判断する。電源スイッチＯＦＦ制御を検出した場合はステップＳ８に進み、電源スイッチＯＦＦ制御を検出しない場合はステップＳ７に進む。
ステップＳ７  ＣＰＵ２１は、オートパワーオフ移行時間計測タイマがタイムアウトになったか否かを判断する。オートパワーオフ移行時間計測タイマがタイムアウトになった場合はステップＳ８に進み、オートパワーオフ移行時間計測タイマがタイムアウトになっていない場合はステップＳ６に戻る。
ステップＳ８  ＣＰＵ２１は、電源オフ制御指示を行う。
ステップＳ９  電源制御用ＣＰＵ８３は、電源ＯＮフラグを０にセットする。
ステップＳ１０  電源制御用ＣＰＵ８３は、オートパワーオフモードに移行するよう制御する。
【００３７】
次に、停電、ＡＣケーブル１４の先端のプラグのレセプタクルからの抜取り等の原因によって外部からの給電が遮断された後に、停電の復旧、ＡＣケーブル１４の先端のプラグのレセプタクルへの嵌合等が行われたことにより、外部からの給電が再開された場合の動作について説明する。
【００３８】
図３は本発明の第１の実施の形態における画像形成装置の遮断された外部からの給電が再開された場合の動作を示すフローチャートである。
【００３９】
まず、画像形成装置１０にＡＣ電源供給が開始されたか否かを判断する。装置にＡＣ電源供給が開始された場合、すなわち、外部からの給電が再開され、電源部８１にＡＣ電流が給電された場合、第２の電力供給モードになっているので、電源制御部８２のみに電力供給が行われる。すると、電源制御用ＣＰＵ８３は、初期化される。また、装置にＡＣ電源供給が開始されない場合、画像形成装置１０にＡＣ電源供給が開始されたか否かの判断を繰り返す。
【００４０】
続いて、電源制御用ＣＰＵ８３は、電源設定格納用メモリ８４内に格納されている電源ＯＮフラグをチェックし、電源ＯＮプラグが１であるか否かを判断する。
【００４１】
そして、電源ＯＮフラグが１の場合、電源制御用ＣＰＵ８３は、装置内各部に電源供給制御を行う。具体的には、電源部８１を制御し、画像形成装置１０内の各部に対して電力供給を行わせる。つまり、第２の電力供給モードから、第１の電力供給モードに切り替え、画像形成装置１０を電力供給オン状態、すなわち、電源オンの状態にする。
【００４２】
一方、電源ＯＮフラグが１でない場合、つまり、電源ＯＮフラグが０である場合、電源制御用ＣＰＵ８３は、装置内各部に電源供給停止制御を行う。具体的には、電源部８１を制御し、画像形成装置１０内の各部に対して電力供給を行わないようにさせる。つまり、第２の電力供給モードを維持し、画像形成装置１０を電力供給オフ状態、すなわち、電源オフの状態のままにする。
【００４３】
次に、フローチャートについて説明する。
ステップＳ２１  画像形成装置１０にＡＣ電源供給が開始されたか否かを判断する。装置にＡＣ電源供給が開始された場合はステップＳ２２に進み、装置にＡＣ電源供給が開始されない場合は判断を繰り返し行う。
ステップＳ２２  電源制御用ＣＰＵ８３は、初期化される。
ステップＳ２３  電源制御用ＣＰＵ８３は、電源ＯＮプラグが１であるか否かを判断する。電源ＯＮフラグが１である場合はステップＳ２４に進み、電源ＯＮフラグが１でない場合はステップＳ２５に進む。
ステップＳ２４  電源制御用ＣＰＵ８３は、装置内各部に電源供給制御を行う。
ステップＳ２５  電源制御用ＣＰＵ８３は、装置内各部に電源供給停止制御を行う。
【００４４】
このように、本実施の形態において、画像形成装置１０は、オペレータが電源スイッチ７２を操作してＯＦＦにしたように、通常の電源オフ操作が行われた場合、停電、ＡＣケーブル１４の先端のプラグのレセプタクルからの抜取り等の原因によって外部からの給電が遮断された後に外部からの給電が再開されても、電源オンの状態にならないが、オペレータが電源スイッチ７２を操作してＯＮにし、すなわち、通常の電源オン操作が行われて、画像形成装置１０が使用中である場合には、停電、ＡＣケーブル１４の先端のプラグのレセプタクルからの抜取り等の原因によって外部からの給電が遮断された後に外部からの給電が再開されると、自動的に電源オンの状態に復帰するので、オペレータが電源オン操作を行う必要がなく、オペレータの手間が省け、利便性が高い。
【００４５】
次に、本発明の第２の実施の形態について説明する。なお、第１の実施の形態と同じ構成を有するものについては、同じ符号を付与することによって、その説明を省略する。また、前記第１の実施の形態と同じ動作及び同じ効果についても、その説明を省略する。
【００４６】
図４は本発明の第２の実施の形態における画像形成装置の構成を示すブロック図である。
【００４７】
本実施の形態における画像形成装置１０の通信部４０は、図に示されるように、ホストインターフェイス部４１に加えて、モデム・ＮＣＵインターフェイス部４２、モデム４３及びＮＣＵ（Ｎｅｔｗｏｒｋ  Ｃｏｎｔｒｏｌ  Ｕｎｉｔ）４４を備える。なお、該ＮＣＵ４４は、通信回線網としての電話回線に接続されている。
【００４８】
前記モデム４３は、ＩＴＵ−Ｔ勧告のＶ．３４、Ｖ．１７、Ｖ．２９、Ｖ．２７ｔｅｒ、Ｖ．８及びＶ．２３に準拠したモデムであって、電話回線からＮＣＵ４４を介して受信したファクシミリ伝送信号、及び、発信者情報信号を復調して、それらのデータを、アドレス／データバス１３に出力する。また、前記モデム４３は、アドレス／データバス１３を介して与えられるファクシミリ送信データを変調し、ファクシミリ伝送信号に変換してＮＣＵ４４を介して、電話回線へ出力する。
【００４９】
前記ＮＣＵ４４は、電話回線へ接続するためのインターフェイスであって、電話回線の接続状態の検出、着信の検出、電話回線への信号の入出力等の電話回線制御が、モデム・ＮＣＵインターフェイス部４２及びアドレス／データバス１３を介して、ＣＰＵ２１によって行われる。
【００５０】
なお、その他の点の構成については、前記第１の実施の形態と同様であるので、その説明を省略する。
【００５１】
次に、本実施の形態における画像形成装置１０の動作について説明する。ここでは、外部からの給電が行われている場合にオートパワーオフモードに移行する動作について説明する。
【００５２】
図５は本発明の第２の実施の形態における画像形成装置のオートパワーオフモードに移行する動作を示すフローチャートである。
【００５３】
なお、電源スイッチＯＮ制御を検出したか否かを判断してから、オートパワーオフ移行時間計測タイマ起動を行うまでの動作、すなわち、図５に示されるステップＳ３１〜Ｓ３５の動作については、前記第１の実施の形態において説明した図２に示されるステップＳ１〜Ｓ５の動作と同様であるので、その説明を省略する。
【００５４】
ＣＰＵ２１は、オートパワーオフ移行時間計測タイマ起動を行った後、電話回線が接続状態であるか否かを判断する。具体的には、ＣＰＵ２１は、ＮＣＵ４４及びモデム・ＮＣＵインターフェイス４２を介して検出される交換機からの電話回線の電圧に基づいて電話回線が接続状態であるか否かを判断する。
【００５５】
そして、電話回線の電圧が検出されると、電話回線が接続状態であると判断し、ＣＰＵ２１は、電源制御用ＣＰＵ８３に電源フラグを１にするよう指示する。すると、電源制御用ＣＰＵ８３は電源設定格納用メモリ８４内に格納されている電源ＯＮフラグを１にセットする。一方、電話回線の電圧が検出されないと、電話回線が接続状態でないと判断し、ＣＰＵ２１は、電源制御用ＣＰＵ８３に電源フラグを０にするよう指示する。すると、電源制御用ＣＰＵ８３は電源設定格納用メモリ８４内に格納されている電源ＯＮフラグを０にセットする。
【００５６】
続いて、電源制御用ＣＰＵ８３は、電源スイッチ７２の状態を監視し、電源スイッチＯＦＦ制御を検出したか否かを判断する。
【００５７】
なお、電源スイッチＯＦＦ制御を検出したか否かを判断してから、オートパワーオフモードに移行するよう制御するまでの動作、すなわち、図５に示されるステップＳ３９〜Ｓ４３の動作については、前記第１の実施の形態において説明した図２に示されるステップＳ６〜Ｓ１０の動作と同様であるので、その説明を省略するが、本実施の形態においては、ステップＳ４０においてオートパワーオフ移行時間計測タイマがタイムアウトになっていない場合はステップＳ３６に戻るようになっている点が、前記第１の実施の形態と異なる。
【００５８】
次に、フローチャートについて説明する。
ステップＳ３１  電源制御用ＣＰＵ８３は、電源スイッチＯＮ制御を検出したか否かを判断する。電源スイッチＯＮ制御を検出した場合はステップＳ３２に進み、電源スイッチＯＮ制御を検出しない場合は判断を繰り返し行う。
ステップＳ３２  電源制御用ＣＰＵ８３は、電源ＯＮフラグを１にセットする。
ステップＳ３３  電源制御用ＣＰＵ８３は、装置内各部に電源供給制御を行う。
ステップＳ３４  ＣＰＵ２１は、装置初期設定を行う。
ステップＳ３５  ＣＰＵ２１は、オートパワーオフ移行時間計測タイマ起動を行う。
ステップＳ３６  ＣＰＵ２１は、電話回線が接続状態であるか否かを判断する。電話回線が接続状態である場合はステップＳ３７に進み、電話回線が接続状態でない場合はステップ３８に進む。
ステップＳ３７  電源制御用ＣＰＵ８３は、電源ＯＮフラグを１にセットする。
ステップＳ３８  電源制御用ＣＰＵ８３は、電源ＯＮフラグを０にセットする。
ステップＳ３９  電源制御用ＣＰＵ８３は、電源スイッチＯＦＦ制御を検出したか否かを判断する。電源スイッチＯＦＦ制御を検出した場合はステップＳ４１に進み、電源スイッチＯＦＦ制御を検出しない場合はステップＳ４０に進む。
ステップＳ４０  ＣＰＵ２１は、オートパワーオフ移行時間計測タイマがタイムアウトになったか否かを判断する。オートパワーオフ移行時間計測タイマがタイムアウトになった場合はステップＳ４１に進み、オートパワーオフ移行時間計測タイマがタイムアウトになっていない場合はステップＳ３６に戻る。
ステップＳ４１  ＣＰＵ２１は、電源オフ制御指示を行う。
ステップＳ４２  電源制御用ＣＰＵ８３は、電源ＯＮフラグを０にセットする。
ステップＳ４３  電源制御用ＣＰＵ８３は、オートパワーオフモードに移行するよう制御する。
【００５９】
なお、停電、ＡＣケーブル１４の先端のプラグのレセプタクルからの抜取り等の原因によって外部からの給電が遮断された後に、停電の復旧、ＡＣケーブル１４の先端のプラグのレセプタクルへの嵌合等が行われたことにより、外部からの給電が再開された場合の動作については、前記第１の実施の形態と同様であるため、その説明を省略する。
【００６０】
このように、本実施の形態において、画像形成装置１０は、電話回線に接続され、ファクシミリ機として使用中である場合、停電、ＡＣケーブル１４の先端のプラグのレセプタクルからの抜取り等の原因によって外部からの給電が遮断された後に外部からの給電が再開されると、無人の環境下においても自動的に電源オンの状態に復帰するので、オペレータが電源オン操作を行う必要がなく、オペレータの手間が省け、利便性が高い。
【００６１】
次に、本発明の第３の実施の形態について説明する。なお、第１及び第２の実施の形態と同じ構成を有するものについては、同じ符号を付与することによって、その説明を省略する。また、前記第１及び第２の実施の形態と同じ動作及び同じ効果についても、その説明を省略する。
【００６２】
図６は本発明の第３の実施の形態における画像形成装置のオートパワーオフモードに移行する動作を示すフローチャートである。
【００６３】
本実施の形態における画像形成装置１０の構成は、前記第１の実施の形態と同様であるので、その説明を省略する。
【００６４】
ここでは、本実施の形態における画像形成装置１０の動作について説明するものとし、まず、外部からの給電が行われている場合にオートパワーオフモードに移行する動作について説明する。
【００６５】
なお、電源スイッチＯＮ制御を検出したか否かを判断してから、オートパワーオフ移行時間計測タイマ起動を行うまでの動作、すなわち、図６に示されるステップＳ５１〜Ｓ５５の動作については、前記第１の実施の形態において説明した図２に示されるステップＳ１〜Ｓ５の動作と同様であるので、その説明を省略する。
【００６６】
ＣＰＵ２１は、オートパワーオフ移行時間計測タイマ起動を行った後、ネットワーク１５が接続状態であるか否かを判断する。具体的には、ＣＰＵ２１は、ホストインターフェイス部４１を介して、ネットワーク１５との接続状態を検出して判断する。
【００６７】
そして、ネットワーク１５が接続状態である場合、ＣＰＵ２１は、電源制御用ＣＰＵ８３に電源フラグを１にするよう指示する。すると、電源制御用ＣＰＵ８３は電源設定格納用メモリ８４内に格納されている電源ＯＮフラグを１にセットする。一方、ネットワーク１５が接続状態でない場合、ＣＰＵ２１は、電源制御用ＣＰＵ８３に電源フラグを０にするよう指示する。すると、電源制御用ＣＰＵ８３は電源設定格納用メモリ８４内に格納されている電源ＯＮフラグを０にセットする。
【００６８】
続いて、電源制御用ＣＰＵ８３は、電源スイッチ７２の状態を監視し、電源スイッチＯＦＦ制御を検出したか否かを判断する。
【００６９】
なお、電源スイッチＯＦＦ制御を検出したか否かを判断してから、オートパワーオフモードに移行するよう制御するまでの動作、すなわち、図６に示されるステップＳ５９〜Ｓ６３の動作については、前記第１の実施の形態において説明した図２に示されるステップＳ６〜Ｓ１０の動作と同様であるので、その説明を省略するが、本実施の形態においては、ステップＳ６０においてオートパワーオフ移行時間計測タイマがタイムアウトになっていない場合はステップＳ５６に戻るようになっている点が、前記第１の実施の形態と異なる。
【００７０】
次に、フローチャートについて説明する。
ステップＳ５１  電源制御用ＣＰＵ８３は、電源スイッチＯＮ制御を検出したか否かを判断する。電源スイッチＯＮ制御を検出した場合はステップＳ５２に進み、電源スイッチＯＮ制御を検出しない場合は判断を繰り返し行う。
ステップＳ５２  電源制御用ＣＰＵ８３は、電源ＯＮフラグを１にセットする。
ステップＳ５３  電源制御用ＣＰＵ８３は、装置内各部に電源供給制御を行う。
ステップＳ５４  ＣＰＵ２１は、装置初期設定を行う。
ステップＳ５５  ＣＰＵ２１は、オートパワーオフ移行時間計測タイマ起動を行う。
ステップＳ５６  ＣＰＵ２１は、ネットワーク１５が接続状態であるか否かを判断する。ネットワーク１５が接続状態である場合はステップＳ５７に進み、ネットワーク１５が接続状態でない場合はステップＳ５８に進む。
ステップＳ５７  電源制御用ＣＰＵ８３は、電源ＯＮフラグを１にセットする。
ステップＳ５８  電源制御用ＣＰＵ８３は、電源ＯＮフラグを０にセットする。
ステップＳ５９  電源制御用ＣＰＵ８３は、電源スイッチＯＦＦ制御を検出したか否かを判断する。電源スイッチＯＦＦ制御を検出した場合はステップＳ６１に進み、電源スイッチＯＦＦ制御を検出しない場合はステップＳ６０に進む。
ステップＳ６０  ＣＰＵ２１は、オートパワーオフ移行時間計測タイマがタイムアウトになったか否かを判断する。オートパワーオフ移行時間計測タイマがタイムアウトになった場合はステップＳ６１に進み、オートパワーオフ移行時間計測タイマがタイムアウトになっていない場合はステップＳ５６に戻る。
ステップＳ６１  ＣＰＵ２１は、電源オフ制御指示を行う。
ステップＳ６２  電源制御用ＣＰＵ８３は、電源ＯＮフラグを０にセットする。
ステップＳ６３  電源制御用ＣＰＵ８３は、オートパワーオフモードに移行するよう制御する。
【００７１】
なお、停電、ＡＣケーブル１４の先端のプラグのレセプタクルからの抜取り等の原因によって外部からの給電が遮断された後に、停電の復旧、ＡＣケーブル１４の先端のプラグのレセプタクルへの嵌合等が行われたことにより、外部からの給電が再開された場合の動作については、前記第１の実施の形態と同様であるため、その説明を省略する。
【００７２】
このように、本実施の形態において、画像形成装置１０は、ネットワーク１５に接続され、使用中である場合、停電、ＡＣケーブル１４の先端のプラグのレセプタクルからの抜取り等の原因によって外部からの給電が遮断された後に外部からの給電が再開されると、無人の環境下においても自動的に電源オンの状態に復帰するので、オペレータが電源オン操作を行う必要がなく、オペレータの手間が省け、利便性が高い。
【００７３】
次に、本発明の第４の実施の形態について説明する。なお、第１〜第３の実施の形態と同じ構成を有するものについては、同じ符号を付与することによって、その説明を省略する。また、前記第１〜第３の実施の形態と同じ動作及び同じ効果についても、その説明を省略する。
【００７４】
図７は本発明の第４の実施の形態における画像形成装置の自動電源ＯＮモードを設定する動作を示すフローチャートである。
【００７５】
本実施の形態における画像形成装置１０の構成は、前記第１の実施の形態と同様であるが、装置設定情報格納用メモリ３２内に自動オンモード、すなわち、自動電源ＯＮモード設定内容を示す情報（自動電源ＯＮモードフラグが１であるか０であるかの情報）も格納される。そして、自動電源ＯＮモード設定は、オペレータが操作・表示部７１の設定スイッチを操作することによって行われ、自動電源ＯＮモード設定がなされたか否かの情報は、操作・表示部７１及びアドレス／データバス１３を介して、ＣＰＵ２１が認識し、該ＣＰＵ２１が、アドレス／データバス１３を介して、装置設定情報格納用メモリ３２内に自動電源ＯＮモードフラグとして格納する。なお、その他の点の構成については、前記第１の実施の形態と同様であるので、その説明を省略する。
【００７６】
次に、本実施の形態における画像形成装置１０の動作について説明する。まず、自動電源ＯＮモードを設定する動作について説明する。
【００７７】
まず、オペレータが操作・表示部７１を操作して自動電源ＯＮモード設定を行うと、ＣＰＵ２１は、前記自動電源ＯＮモード設定の設定内容を、操作・表示部７１を介して、認識し、自動電源ＯＮモード設定がされたか否かを判断する。
【００７８】
そして、自動電源ＯＮモード設定がされた、すなわち、ＯＮ設定であると判断すると、ＣＰＵ２１は、装置設定情報格納用メモリ３２内に格納されている自動電源ＯＮモードフラグを１にセットする。
【００７９】
一方、自動電源ＯＮモード設定がされていない、すなわち、ＯＦＦ設定であると判断すると、ＣＰＵ２１は、装置設定情報格納用メモリ３２内に格納されている自動電源ＯＮモードフラグを０にセットする。
【００８０】
次に、フローチャートについて説明する。
ステップＳ７１  自動電源ＯＮモード設定がされたか否かを判断する。自動電源ＯＮモード設定がされた場合はステップＳ７２に進み、自動電源ＯＮモード設定がされていない場合はステップＳ７３に進む。
ステップＳ７２  自動電源ＯＮモードフラグを１にセットする。
ステップＳ７３  自動電源ＯＮモードフラグを０にセットする。
【００８１】
次に、外部からの給電が行われている場合にオートパワーオフモードに移行する動作について説明する。
【００８２】
図８は本発明の第４の実施の形態における画像形成装置のオートパワーオフモードに移行する動作を示すフローチャートである。
【００８３】
なお、電源スイッチＯＮ制御を検出したか否かを判断してから、オートパワーオフ移行時間計測タイマ起動を行うまでの動作、すなわち、図８に示されるステップＳ８１〜Ｓ８５の動作については、前記第１の実施の形態において説明した図２に示されるステップＳ１〜Ｓ５の動作と同様であるので、その説明を省略する。
【００８４】
ＣＰＵ２１は、オートパワーオフ移行時間計測タイマ起動を行った後、インターフェイス接続状態であるか否かを判断する。具体的には、ＣＰＵ２１は、ホストインターフェイス部４１を介して、ネットワーク１５との接続状態を検出して判断する。
【００８５】
そして、ネットワーク１５が接続状態である場合、インターフェイス接続状態であると判断し、ＣＰＵ２１は、装置設定情報格納用メモリ３２内に格納されている電源ＯＮフラグをチェックし、自動電源ＯＮモードフラグが１であるか否かを判断する。
【００８６】
ここで、自動電源ＯＮモードフラグが１の場合、ＣＰＵ２１は、電源制御用ＣＰＵ８３に指示して、電源設定格納用メモリ８４内に格納されている電源ＯＮフラグを１にセットさせる。一方、自動電源ＯＮモードフラグが１でない場合、すなわち、自動電源ＯＮモードフラグが０の場合、ＣＰＵ２１は、電源制御用ＣＰＵ８３に指示して、電源設定格納用メモリ８４内に格納されている電源ＯＮフラグを０にセットさせる。また、インターフェイス接続状態でないと判断した場合も、ＣＰＵ２１は、電源制御用ＣＰＵ８３に指示して、電源設定格納用メモリ８４内に格納されている電源ＯＮフラグを０にセットさせる。
【００８７】
続いて、電源制御用ＣＰＵ８３は、電源スイッチ７２の状態を監視し、電源スイッチＯＦＦ制御を検出したか否かを判断する。
【００８８】
なお、電源スイッチＯＦＦ制御を検出したか否かを判断してから、オートパワーオフモードに移行するよう制御するまでの動作、すなわち、図８に示されるステップＳ９０〜Ｓ９４の動作については、前記第１の実施の形態において説明した図２に示されるステップＳ６〜Ｓ１０の動作と同様であるので、その説明を省略するが、本実施の形態においては、ステップＳ９１においてオートパワーオフ移行時間計測タイマがタイムアウトになっていない場合はステップＳ８６に戻るようになっている点が、前記第１の実施の形態と異なる。
【００８９】
次に、フローチャートについて説明する。
ステップＳ８１  電源制御用ＣＰＵ８３は、電源スイッチＯＮ制御を検出したか否かを判断する。電源スイッチＯＮ制御を検出した場合はステップＳ８２に進み、電源スイッチＯＮ制御を検出しない場合は判断を繰り返し行う。
ステップＳ８２  電源制御用ＣＰＵ８３は、電源ＯＮフラグを１にセットする。
ステップＳ８３  電源制御用ＣＰＵ８３は、装置内各部に電源供給制御を行う。
ステップＳ８４  ＣＰＵ２１は、装置初期設定を行う。
ステップＳ８５  ＣＰＵ２１は、オートパワーオフ移行時間計測タイマ起動を行う。
ステップＳ８６  ＣＰＵ２１は、インターフェイス接続状態であるか否かを判断する。インターフェイス接続状態である場合はステップＳ８７に進み、インターフェイス接続状態でない場合はステップＳ８９に進む。
ステップＳ８７  ＣＰＵ２１は、自動電源ＯＮモードフラグが１であるか否かを判断する。自動電源ＯＮモードフラグが１である場合はステップＳ８８に進み、自動電源ＯＮモードフラグが１でない場合はステップＳ８９に進む。
ステップＳ８８  ＣＰＵ２１は、電源ＯＮフラグを１にセットさせる。
ステップＳ８９  ＣＰＵ２１は、電源ＯＮフラグを０にセットさせる。
ステップＳ９０  電源制御用ＣＰＵ８３は、電源スイッチＯＦＦ制御を検出したか否かを判断する。電源スイッチＯＦＦ制御を検出した場合はステップＳ９２に進み、電源スイッチＯＦＦ制御を検出しない場合はステップＳ９１に進む。
ステップＳ９１  ＣＰＵ２１は、オートパワーオフ移行時間計測タイマがタイムアウトになったか否かを判断する。オートパワーオフ移行時間計測タイマがタイムアウトになった場合はステップＳ９２に進み、オートパワーオフ移行時間計測タイマがタイムアウトになっていない場合はステップＳ８６に戻る。
ステップＳ９２  ＣＰＵ２１は、電源オフ制御指示を行う。
ステップＳ９３  電源制御用ＣＰＵ８３は、電源ＯＮフラグを０にセットする。
ステップＳ９４  電源制御用ＣＰＵ８３は、オートパワーオフモードに移行するよう制御する。
【００９０】
なお、停電、ＡＣケーブル１４の先端のプラグのレセプタクルからの抜取り等の原因によって外部からの給電が遮断された後に、停電の復旧、ＡＣケーブル１４の先端のプラグのレセプタクルへの嵌合等が行われたことにより、外部からの給電が再開された場合の動作については、前記第１の実施の形態と同様であるため、その説明を省略する。
【００９１】
このように、本実施の形態において、画像形成装置１０は、停電、ＡＣケーブル１４の先端のプラグのレセプタクルからの抜取り等の原因によって外部からの給電が遮断された後に外部からの給電が再開されたときに、自動的に電源オンの状態に復帰するか否かを、オペレータが任意に選択して設定することができるので、利便性が更に高くなる。
【００９２】
なお、前記第１〜第４の実施の形態においては、画像形成装置１０が複合機である場合について説明したが、画像形成装置１０は、プリンタ、ファクシミリ機、複写機等のように、画像を形成する機能を有する装置であれば、いかなる装置であってもよい。
【００９３】
また、本発明は前記実施の形態に限定されるものではなく、本発明の趣旨に基づいて種々変形させることが可能であり、それらを本発明の範囲から排除するものではない。
【産業上の利用可能性】
【００９４】
本発明は、画像形成装置に利用することができる。
【符号の説明】
【００９５】
１０    画像形成装置
１５    ネットワーク
２０    制御部
２２    タイマ
７２    電源スイッチ
８１    電源部
８２    電源制御部
８４    電源設定格納用メモリ
【図１】
2015112822.tif 000003
【図２】
2015112822.tif 000004
【図３】
2015112822.tif 000005
【図４】
2015112822.tif 000006
【図５】
2015112822.tif 000007
【図６】
2015112822.tif 000008
【図７】
2015112822.tif 000009
【図８】
2015112822.tif 000010